(57)【要約】【課題】各家庭に設置されている電力、水道、ガスの使用量を、安価で経済的な手段によって自動的に検知する新規な構成からなる消費光熱水量の検知システムを提供する。【解決手段】電力量や水道使用量のメーター、ガス使用量のメーターといった消費量積算計における各使用量に応じて回転する歯車３の凹凸に、簡易スイッチ８のオン・オフボタン９を当接させ、当該歯車３の凹凸によってオン・オフした簡易スイッチ８のスイッチング回数を、カウンター１０を介して演算装置１１に入力し、この演算結果情報を前記演算装置１１に接続した送信装置１３を介して引き出すことができるようにした消費光熱水量の検知システムである。【選択図】　図１
2004030331.tif 000002
【特許請求の範囲】
【請求項１】
消費量積算計本体と、該消費量積算計の回転する歯車にオン・オフボタンを当接させた簡易スイッチと、該簡易スイッチと電気的に接続したカウンターを介して接続した演算装置と、該演算装置に接続した送信装置とからなり、使用電力量に応じて回転する前記消費量積算計の歯車に対応してオン・オフした簡易スイッチのスイッチング回数を、カウンターを介して演算装置に入力し、該演算結果情報を送信装置を介して引き出すようにしたことを特徴とする消費電力等の検知システム。
【請求項２】
消費量積算計本体と、該消費量積算計の回転する歯車にオン・オフボタンを当接させた簡易スイッチと、該簡易スイッチと電気的に接続したカウンターを介して接続した演算装置と、該演算装置に接続した送信装置とからなり、使用電力量に応じて回転する前記消費量積算計の歯車に対応してオン・オフした簡易スイッチのスイッチング回数を、カウンターを介して演算装置に入力し、該演算結果情報を送信装置を介して一定期間毎に引き出すようにしたことを特徴とする消費電力等の検知システム。
【請求項３】
演算結果情報の引き出し手段が、電話回線、ＰＨＳ、無線の何れかによるものとした、請求項１または２何れか記載の消費電力等の検知システム。
【請求項４】
演算結果情報は、電力使用量、水道使用量またはガス消費量の何れかである、請求項１ないし３の何れか記載の消費電力等の検知システム。
【発明の詳細な説明】
【０００１】
【発明の目的】
この発明は、各家庭に取り付けられている電力、水道、ガス等の使用量を遠隔地で検知・確認したり、あるいはこれらの各使用量を一定期間毎に引き出し、積算された使用量を遠隔地で検知・確認できる技術に関するものであって、特に安価で簡単な構造からなる設備により、電力、水道、ガス等の検知時点における使用量を瞬時に知ることができ、また、これらの一定期間中の使用量の積算値も知ることができる消費電力等の検知システムを提供しようとするものである。
【０００２】
【従来の技術】
現在、一般家庭における電力の使用量の検知、およびこの検知によって各戸が使用料金を支払うまでの手順は、検針員が各戸に設置されている積算電力計で計測された電力の使用量の表示を各戸を回って確認し、これを記録して後日各戸に使用量と使用料金を知らせ、請求された使用料金を各戸が支払うというシステムになっている。
【０００３】
しかしながら、高層住宅等の増加により、検針員による各戸回りの検針作業の負担が大きくなっていることに加え、検針員の確保や、その人件費の負担等といった経営上の問題も表面化してきたとから、検針作業能率の改善や、人員確保や経常経費の減少化等を目的として、自動的に検針することができるようにする技術も考えられている。
【０００４】
例えば、特開平８−２２０１４３号公報の「家庭の積算電力計のデータを電気信号に変換するセンサー」には、家庭に設置されている積算電力計の回転円盤に、光を通す最小限の穴を開け、その穴の片面に光源を、その対面に光を電気的に検知する受光装置を設けるセンサーの技術が開示されているが、積算電力計の回転円盤に穴を開ける加工が必要となり、また、回転円盤の上下に光源および受光装置を組み込まなければならず、積算電力計の内部にこの組み込みに必要な空間部分があるかも不明であり、組み込みに必要な空間部分がなければ積算電力計自体の設計を変更しなければならないという問題が残り、さらに、光源からの光は、回転円盤の穴を通るときのみ受光装置により検知されるが、この検知回数をどのようにして電気信号に変換するのか、また、電気的に取り出したとする信号を他の装置、システムとどのようにして結合するのか等の具体的記述が全くなされておらず、実現性に乏しいと言わざるを得ないものである。
【０００５】
また、特開昭５６−６７５００号公報「」で提案されているものでは、該公報の第４図およびその説明には、自動検針の例として、積算電力計の積算値が記憶論理回路で記憶され、必要に応じて表示されること、および中央からの信号が到来すると、前記記憶論理回路から出力させ、中央に送られて自動検針が行われる旨の記載がなされているものの、自動検針用の場合は、ガラスケースの中に積算値に応じた信号（符号）を取り出すための回路を収容しなければならず（公報２頁左上欄１７〜２０行参照）、さらに、自動検針用の検針端末機を取り付けるために、ベースの下方に延設した収納部と、該収納部に端子板を設けなければならない（公報２頁右上欄３〜７行ならびに第２図および第３図参照）等、積算電力計に様々な加工を施す必要があり、現在各家庭に設置されている積算電力計をそのまま利用することができないという難点を抱えているといった具合であって、これまでに提案がなされてきた各種積算電力計の自動検針システムは、具体性に欠けて実用的でなかったり、あるいは、積算電力計に大幅な加工を施さなければならない等の欠点があった。
【０００６】
そこで、この発明では、前記の積算電力計のように、光熱水量の消費量積算計への大幅な加工を施したり、あるいは設計の変更等を行うことなく、一般家庭に設置されている各種消費量積算計をそのまま利用して、簡便且つ安価に光熱水量の検針を可能にする自動検知システムの実現化に向け、逸早く開発、研究に着手し、様々な試行錯誤と幾多の試作実験とを繰り返した結果、今回、遂に一般家庭に設置されている消費量積算計等に簡単な加工を加えるだけで、光熱水量の消費電力量を演算装置に入力でき、しかも、この演算結果情報を送信装置を介して引き出す検知システムを完成することに成功したものであり、以下では、この発明を代表する実施例と共に、その構成を詳述することとする。
【０００７】
【発明の構成】
図面に示すこの発明を代表する実施例からも明確に理解されるように、この発明の消費電力等の検知システムは、基本的に次のような構成からなるものである。
即ち、消費量積算計本体と、該消費量積算計の回転する歯車にオン・オフボタンを当接させた簡易スイッチと、該簡易スイッチと電気的に接続したカウンターを介して接続した演算装置と、該演算装置に接続した送信装置とからなり、使用電力量に応じて回転する前記消費量積算計の歯車に対応してオン・オフした簡易スイッチのスイッチング回数を、カウンターを介して演算装置に入力し、該演算結果情報を送信装置を介して引き出すようにした構成を要旨とする消費光熱水量の検知システムである。
【０００８】
上記のとおりの、基本的な構成からなるこの発明の消費電力等の検知システムを、より具体的な構成によるものとして示せば、消費量積算計本体と、該消費量積算計の回転する歯車にオン・オフボタンを当接させた簡易スイッチと、該簡易スイッチと電気的に接続したカウンターを介して接続した演算装置と、該演算装置に接続した送信装置とからなり、消費電力量に応じて回転する前記消費量積算計の歯車に対応してオン・オフした簡易スイッチのスイッチング回数を、カウンターを介して演算装置に入力し、該演算結果情報を送信装置を介して一定期間毎に引き出すようにする消費光熱水量の検知システムであるということができる。
【０００９】
消費量積算計本体は、一般家庭の各戸に設置されていて、各戸別の消費電力量や消費水道料、消費ガス量を積算、表示するようにしたものであって、電力等光熱水量の消費に応じて回転する円盤と、該円盤の回転を受けて回転駆動する歯車・数字車（表示部）等を備えた装置として周知されるものである。
【００１０】
簡易スイッチは、歯車の回転数を簡便に計測する手段として機能するものであり、前記消費量積算計本体に組み込まれている歯車の凹凸部にオン・オフボタンを当接させるようにした構成を有するものとし、当該歯車の回転に応じてオン・オフを繰り返す結果、そのオン・オフによるスイッチング回数をその都度電気信号に変え、該簡易スイッチに接続してあるカウンターに送信できるようにしたものとする。
【００１１】
演算装置は、前記カウンターを介して入力された簡易スイッチのスイッチング回数を演算する機能を有し、その演算結果情報を送信装置に伝えると共に、必要に応じてメモリー回路に記憶させ、この送信装置は、得られた演算結果情報を電話回線、ＰＨＳ，無線等の手段を用いて集中処理センターのコンピュータに送信する機能を有するものである。
【００１２】
上記の演算結果情報は、必要とする時点で引き出すこともできるが、例えば、一か月毎等のように、一定期間毎に、且つ、定期的に引き出すことができるようにすることも可能であって、この場合、メモリー回路に集中処理センターからの信号が入力されると、メモリー回路に蓄積された演算結果情報は、前記の電話回線等の引き出し手段を介して出力されるものである。
【００１３】
演算結果情報としては、電力使用量の外、水道使用量またはガス使用量といった一般的な光熱水量を対象とするものであり、電力消費量の検知に消費量積算計を用いていると同様に、水道またはガスの場合も、夫々の使用量を検知し、積算して表示するメーターが各家庭に設置されていることから、これらのメーターに用いられている歯車の凹凸に簡易スイッチのオン・オフボタンを接触させ、歯車の回転によって得られたスイッチング回数をカウンターにより演算装置に入力し、該演算結果情報を送信装置を介して引き出すようにするものである。
【００１４】
【実施例】
図１の一部斜視図によるカウンター部分を含む概略的な系統図には、この発明を代表的する消費電力の検知システムの一実施例を示してある。
消費量積算計本体Ａは、電力の消費に応じて回転する円盤１と、該円盤１の回転を受けて回転する駆動歯車２，この駆動歯車２と同軸で固定され回転する歯車３，該歯車３と噛み合って回転する從動歯車４，該從動歯車４と同軸で固定されて回転し数字車５を駆動せしめる数字用歯車６等から成り立っている。なお、図中、７は、数字車５を桁数に従って順次回転させる送り車を示している。
【００１５】
このように構成された消費量積算計本体Ａの歯車３は、消費電力量に応じて回転する円盤１の回転に比例して回転するものであり、当該歯車３には、簡易スイッチ８のオン・オフボタン９を当接させるように配した上、前記歯車３の凹凸との接触により、この簡易スイッチ８はオン・オフし、スイッチングすることになる。
【００１６】
そして、このスイッチング回数は、前記簡易スイッチ８に電気的に接続された積算電力装置Ｂのカウンター１０に伝えられ、さらに、このカウンター１０によって計数された簡易スイッチ８のスイッチング回数は、カウンター１０と接続されている演算装置１１に自動的に入力された上、その演算結果情報は、メモリー回路１２に記憶させると共に、演算装置１１に接続されている送信装置１３から、電話回線１４を使用して集中処理センターＣのコンピュータ１５に送られるようにしてある。
【００１７】
このコンピュータ１５からは、演算結果情報を必要とする時点で随時引き出すことができると共に、例えば一か月毎等のように、定期的に一定期間毎に引き出すようにすることもできるものであって、このコンピュータ１５による引き出し操作は、集中処理センターＣからメモリー回路１２に引き出し処理信号を送信、入力し、メモリー回路１２に蓄積された演算結果情報の中から、引き出し処理信号に対応する情報を引き出すことによって行われるものである。
【００１８】
なお、前記において、送信装置１３から集中処理センターＣのコンピュータ１５への送信手段として、また、集中処理センターＣのコンピュータ１５からメモリー回路１２に蓄積された演算結果情報を引き出す手段としては、上記した電話回線１４を使用する外、ＰＨＳや無線通信を使用して引き出すようにすることも勿論可能であって、略同様の目的を達成することができる。
【００１９】
また、この実施例においては、歯車３に簡易スイッチ８のオン・オフボタンを当接させるようにした事例によるものとしているが、電力使用量に比例して回転する歯車、例えば駆動歯車２、從動歯車４に、直接簡易スイッチ８のオン・オフボタンを当接させるようにしたものとすることもできる。
【００２０】
【作用】
以上のとおりの構成からなるこの発明の消費光熱水量の検知システムは、各家庭に設置されている電力使用量や水道使用量のメーター、あるいはガス使用量のメーターといった消費量積算計の中に設けられている歯車に、簡易スイッチのオン・オフボタンを当接させて使用量に比例したスイッチング回数を演算結果情報として取得し、その演算結果情報を集中処理センターに送信したり、あるいは集中処理センターで引き出したりすることによって、これらの使用量表示を、各家庭から離れた集中処理センターで検知・確認し得るようにしたものであって、これらの使用量は、必要な段階で随時表示させたり、あるいは一月単位等といった一定期間毎、且つ定期的に引き出すようにすることも可能にする。
【００２１】
【効果】
以上のとおり、この発明の消費光熱水量の検知システムは、各家庭に設置されている従前からの電力使用量や水道使用量のメーター、ガス使用量のメーターといった消費量積算計の表示を検針員が一々訪問に回って検針しなくても、自動的且つ瞬時に確認することを可能にするようにしたものであって、高層住宅等の各戸回りといった負担の掛かる検針作業が無くすだけではなく、それら検針員を必要としなくなることから、大巾に人件費を削減して経済効果を上げると共に、検針効率の効率化に大いに役立つものになるという大きな特徴を発揮することとなる。
【００２２】
さらに、この発明の消費光熱水量の検知システムは、各家庭に設置されている従前からの電力使用量や水道使用量のメーター、ガス使用量のメーター等消費量積算計に簡単な加工を施すことによってその目的を達成することが可能になることから、このシステムの採用段階における製作費、工事費、維持費等の諸経費の負担が少なく、一旦導入後には、上記したとおりの効果から、設備投資に要した負担も極めて短期間の中に回収でき、以降はそのまま経済効果に繋がっていくものになるという利点が得られるものとなる。
【００２３】
叙述の如く、この発明の消費光熱水量の検知システムは、その新規な構成によって所期の目的を普く達成可能にするものであり、規制緩和による電力事業の自由化で体質改善を迫られている電力業界にとって大いに役立つものになるのは勿論のこと、各家庭においては、検針員の巡回を不審者と見間違って不安を抱える心配もなければ、検針データーに対する信頼性についても不信感を抱く必要も解消されることなることから、両者から高い評価がなされて広く普及していくものになることが予想される。
【図面の簡単な説明】
図面は、この発明の消費電力等の検知システムに関わる代表的な具体例を示したものである。
【図１】この発明の消費光熱水量の検知システムを示す、一部斜視図によるカウンター部分を含む概略的な系統図である。
【符号の説明】
１　　消費量積算計本体の円盤
２　　駆動歯車
３　　歯車
４　　從動歯車
５　　数字車
６　　数字用歯車
７　　送り車
８　　簡易スイッチ
９　　簡易スイッチのオン・オフボタン
１０　　カウンター
１１　　演算装置
１２　　メモリー回路
１３　　送信装置
１４　　電話回線
１５　　集中処理センターのコンピュータ
Ａ　　消費量積算計本体
Ｂ　　積算電力装置
Ｃ　　集中処理センター
【図１】
2004030331.tif 000003